(57)【要約】【課題】画面上に複数のアイコンが表示されている場合に、どのアイコンのアイコン処理を実行したか否かを簡易に認識することが困難である。【解決手段】患者氏名「吉田○○」に対応する保険証の確認欄に、保険証を開いた絵のアイコン４００を表示することにより、当該患者の保険証の確認が必要であることを示す。患者「吉田○○」が来院すると、操作者は、患者から保険証を受け取り、アイコン４００をクリックする。患者ＮＯ「３０００」を検索キーとして、患者情報データベース３００において患者氏名「吉田○○」の保険証情報を抽出され、表示される。操作者は、患者から受け取った保険証の記載情報と、表示された保険証情報を照合し確認入力を行うと、アイコン４００はチェック印のアイコン５００に変更される。【選択図】　図４
2004094315.tif 000002
【特許請求の範囲】
【請求項１】
表示装置を備えたアイコン処理装置であって、
表示装置の画面上に表示したアイコンが選択されたか否かを判断し、
前記アイコンの選択が判断されると、当該アイコンに関連付けられたアイコン関連情報を取得し、
取得された前記アイコン関連情報を用いて、当該アイコンに関連するアイコン関連処理を開始し、
前記アイコン関連処理が終了すると、前記アイコンの表示を他の表示情報に変更して前記表示装置に表示すること、
を特徴とするアイコン処理装置。
【請求項２】
表示装置に接続されるアイコン処理制御装置であって、
表示装置の画面上に表示されたアイコンが選択された旨を受けて、当該アイコンに関連付けられたアイコン関連情報を取得し、
取得された前記アイコン関連情報を用いて、当該アイコンに関連するアイコン関連処理を開始し、
前記アイコン関連処理が終了すると、前記アイコンの表示を他の表示情報に変更するよう制御すること、
を特徴とするアイコン処理制御装置。
【請求項３】
表示装置を備えたコンピュータに、
表示装置の画面上に表示したアイコンが選択されたか否かを判断させ、
前記アイコンの選択が判断されると、当該アイコンに関連付けられたアイコン関連情報を取得させ、
取得された前記アイコン関連情報を用いて、当該アイコンに関連するアイコン関連処理を開始させ、
前記アイコン関連処理が終了すると、前記アイコンの表示を他の表示情報に変更して前記表示装置に表示させるプログラム。
【請求項４】
請求項３のプログラムを記録したコンピュータ読み取り可能な記録媒体。
【請求項５】
請求項１ないし請求項４のいずれかのアイコン処理装置、アイコン処理制御装置、プログラムまたは記録媒体において、
操作者から確認入力を受けて、選択された前記アイコンの表示を他の表示情報に変更することを特徴とするもの。
【請求項６】
請求項１ないし請求項５のいずれかのアイコン処理装置、アイコン処理制御装置、プログラムまたは記録媒体において、
選択された前記アイコンの表示位置に基づいて、前記アイコン関連情報を取得することを特徴とするもの。
【請求項７】
請求項１ないし請求項６のいずれかのアイコン処理装置、アイコン処理制御装置、プログラムまたは記録媒体において、
前記アイコン関連処理には、前記表示装置の画面上における表示処理を含むことを特徴とするもの。
【請求項８】
請求項７のアイコン処理装置、アイコン処理制御装置、プログラムまたは記録媒体において、
前記表示処理による表示には、取得された前記アイコン関連情報の少なくとも一部が含まれることを特徴とするもの。
【請求項９】
請求項１ないし請求項８のいずれかのアイコン処理装置、アイコン処理制御装置、プログラムまたは記録媒体において、
前記アイコンを、スプレッドシートのセル内に表示し、
前記アイコン関連情報を、選択された前記アイコンの存在する前記スプレッドシートの行または列の情報に基づいて取得することを特徴とするもの。
【請求項１０】
請求項１ないし請求項９のいずれかのアイコン処理装置、アイコン処理制御装置、プログラムまたは記録媒体において、
前記アイコン関連情報は、ユーザ情報であることを特徴とするもの。
【請求項１１】
画面上に表示したアイコンが選択されたか否かを判断する判断手段、
判断手段によって、前記アイコンの選択が判断されると、当該アイコンに関連付けられたアイコン関連情報を取得するアイコン関連情報取得手段、
アイコン関連情報取得手段によって取得されたアイコン関連情報を用いて、当該アイコンに関連するアイコン関連処理を実行するアイコン関連処理実行手段、
前記アイコン関連処理が終了すると、前記アイコンの表示を他の表示情報に変更するアイコン変更手段、
を備えたアイコン処理装置。
【請求項１２】
画面上に表示したアイコンが、操作者の操作によって選択されると、当該アイコンに関連付けられたアイコン関連情報を取得し、当該アイコン関連情報を用いて、当該アイコンに関連するアイコン関連処理を開始するとともに、
前記アイコン関連処理が終了すると、前記アイコンの表示を他の表示情報に変更して表示することを特徴とするアイコン処理方法。
【請求項１３】
表示装置の画面上に表示されたスプレッドシートのセル内におけるアイコン表示遷移方法であって、
セル内にアイコンを、第１の表示形態にて表示する第１のステップと、
当該アイコンに関連付けられたアイコン関連処理の一部として、前記表示装置の画面上に情報表示を行う第２のステップと、
前記アイコン関連処理の終了により、前記アイコンを第２の表示形態にて表示する第３のステップと、
を実行することを特徴とするアイコン表示遷移方法。
【請求項１４】
セルの情報を表示するための複数のセル情報、およびセルの位置を特定するための複数の位置特定情報とを備えたスプレッドシートデータであって、
所定のセルに第１の表示形態のアイコンを表示するための情報を備えたことを特徴とするスプレッドシートデータ。
【請求項１５】
請求項１４のスプレッドシートデータにおいて、
所定のセルに第２の表示形態のアイコンを表示するための情報を備えたことを特徴とするスプレッドシートデータ。
【発明の詳細な説明】
【０００１】
【発明の属する技術分野】
この発明は、アイコンを利用して情報処理を行う装置、方法に関するものである。
【０００２】
【従来の技術および発明が解決しようとする課題】
アイコンを利用して情報処理を行う一般的な装置は、画面上に表示されたアイコンが操作者により選択されることにより、そのアイコンに関連する処理（以下、アイコン処理とする）が実行される。例えば、プリンタを表すアイコンが選択されると、プリンタに出力指令を行い出力処理を実行する。そして、アイコン処理の終了後も、画面上には当該アイコンがそのまま表示される。
【０００３】
このような装置では、操作者はアイコンを見ただけでは、アイコン処理を終了したか否かを簡易に判断できない。特に、画面上に複数のアイコンが表示されている場合に、どのアイコンのアイコン処理を終了したか否かを、画面を一見して認識することは困難である。
【０００４】
また、スプレッドシートを利用して情報処理を行う従来の装置は、複数のセルに様々な情報が表示されている。この装置について、歯科医院における来院情報等を管理する管理コンピュータ６００を用いて、来院患者の保険証の確認を行う場合を一例として説明する。図１４Ａに、管理コンピュータ６００のハードウエア構成例を示す。ＣＰＵ６２０は、バスラインを介して外部記憶装置６２２、マウス・キーボード６２４、ディスプレイ６２６、メモリ６２８などに接続され、外部記憶装置６２２には、予約日時に対応付けて患者氏名を記憶する来院情報データベース、患者情報（氏名、保険者番号等の保険証情報、以前の診療日など）を記憶する患者情報データベース、患者情報の抽出等を行うための患者情報管理ソフト、オペレーティングシステム（ＯＳ）などが記憶されている。
【０００５】
管理コンピュータ６００は、来院情報データベースから当日の来院情報（予約時刻、患者氏名、患者ＮＯなど）を抽出し、来院情報が表示されたスプレッドシートをディスプレイ６２６に表示する（図１４Ｂ参照）。そして、操作者は、来院患者の診察券に記録された患者ＮＯを管理コンピュータ６００に入力する。管理コンピュータ６００は、その患者ＮＯを検索キーとして患者情報データベースから当該患者の保険証情報、最終診療日等を検索し、ディスプレイ６２６に来院情報画面を表示する（図示せず）。操作者は、本日（来院日）が最終診療日から１月経過したか否かを判断し、１月経過していれば、来院患者に保険証の提示を求める。患者から保険証を受け取ると、保険証の記載情報と、ディスプレイ６２６に表示された保険証情報とを照合することにより、保険証が変更されていなかどうかを確認する。
【０００６】
しかしながら、上記のスプレッドシートでは、操作者は、来院患者の保険証の確認が必要か否か、保険証の確認を済ませたか否かを簡易に判断できず、受付手続の迅速化を図ることができない。つまり、スプレッドシートには様々な情報が表示されているため、操作者が行うべき措置等を簡易に認識することが困難である。この発明は、このような問題を解決し、アイコンを利用した情報処理の効率化を図る装置、方法を提供することを目的とする。
【０００７】
【課題を解決するための手段および発明の効果】
（１）（３）（４）（１１）（１２）　この発明のアイコン処理装置は、表示装置を備えており、表示装置の画面上に表示したアイコンが選択されたか否かを判断し、前記アイコンの選択が判断されると、当該アイコンに関連付けられたアイコン関連情報を取得し、取得された前記アイコン関連情報を用いて、当該アイコンに関連するアイコン関連処理を開始し、前記アイコン関連処理が終了すると、前記アイコンの表示を他の表示情報に変更して前記表示装置に表示することを特徴としている。
【０００８】
これにより、アイコン関連処理が終了したか否か、どのアイコンについてアイコン関連処理が終了したかを、操作者に簡易に認識させることができる。また、アイコンの表示位置または表示形態により、操作者がすべき措置内容を、操作者に簡易に認識させることができる。また、表示形態変更後のアイコンを表示することにより、操作者がすべき措置（またはアイコン関連処理）が終了したことを、操作者に簡易に認識させることができる。
【０００９】
（２）　この発明のアイコン処理制御装置は、表示装置に接続されており、表示装置の画面上に表示されたアイコンが選択された旨を受けて、当該アイコンに関連付けられたアイコン関連情報を取得し、取得された前記アイコン関連情報を用いて、当該アイコンに関連するアイコン関連処理を開始し、前記アイコン関連処理が終了すると、前記アイコンの表示を他の表示情報に変更するよう制御することを特徴としている。これにより、アイコン関連処理が終了したか否か、どのアイコンについてアイコン関連処理が終了したかを、表示装置の閲覧者に簡易に認識させることができる。
【００１０】
（５）　この発明のアイコン処理装置は、操作者から確認入力を受けて、選択された前記アイコンの表示を他の表示情報に変更することを特徴としている。これにより、操作者は、アイコン関連処理に基づいて操作者がすべき措置を行い、その後、確認入力操作を行えば、アイコンの表示形態を変更させることができる。
【００１１】
（６）　この発明のアイコン処理装置は、選択された前記アイコンの表示位置に基づいて、前記アイコン関連情報を取得することを特徴としている。これにより、アイコンの表示位置に関連付けられたアイコン関連情報を取得することができる。
【００１２】
（７）　この発明のアイコン処理装置は、前記アイコン関連処理には、前記表示装置の画面上における表示処理を含むことを特徴としている。これにより、操作者がすべき措置のための情報やアイコン関連処理に関する情報等を、操作者に提供することができる。
【００１３】
（８）　この発明のアイコン処理装置は、前記表示処理による表示には、取得された前記アイコン関連情報の少なくとも一部が含まれることを特徴としている。これにより、操作者がすべき措置のための情報等として、アイコン関連情報を操作者に提供することができる。
【００１４】
（９）　この発明のアイコン処理装置は、前記アイコンを、スプレッドシートのセル内に表示し、前記アイコン関連情報を、選択された前記アイコンの存在する前記スプレッドシートの行または列の情報に基づいて取得することを特徴としている。これにより、アイコンの存在するスプレッドシートの行または列の情報に関連付けられたアイコン関連情報を取得することができる。また、アイコン表示であるため、その表示位置を把握し易く、スプレッドシートの行または列の情報（またはアイコンの表示形態）から、操作者がすべき措置内容を、操作者に簡易に認識させることができる。
【００１５】
（１０）　この発明のアイコン処理装置は、前記アイコン関連情報は、ユーザ情報であることを特徴としている。これにより、ユーザ情報を必要とするアイコン関連処理を実行することができる。また、ユーザ情報を操作者に提供することができる。
【００１６】
（１３）　この発明のスプレッドシートのセル内における表示遷移方法は、セル内にアイコンを、第１の表示形態にて表示する第１のステップと、当該アイコンに関連付けられたアイコン関連処理の一部として、前記表示装置の画面上に情報表示を行う第２のステップと、前記アイコン関連処理の終了により、前記アイコンを第２の表示形態にて表示する第３のステップとを実行することを特徴としている。
【００１７】
したがって、アイコン関連処理による情報表示により、操作者がすべき措置のための情報等を、操作者に提供することができる。また、アイコンを第１、第２の表示形態で表示することにより、アイコン関連処理が終了したか否か、どのアイコンについてアイコン関連処理が終了したかを、操作者に簡易に認識させることができる。
【００１８】
なお、この発明において、「アイコン関連処理」とは、アイコンに関連する処理である。例えば、アイコンがダブルクリック動作などによって選択された場合に、この動作に対応して実行される処理である。下記の実施形態では、ＣＰＵ１２０による図６ステップＳ４６、Ｓ４８の保険証確認画面の表示処理や、事前連絡確認画面の表示処理に該当する。なお、表示処理だけでなく、その他の処理（出力処理や演算処理など）を含む概念である。
【００１９】
「アイコン関連情報」とは、アイコンに直接的または間接的に関連付けられた情報であり、下記の実施形態では、図６ステップＳ４４にて抽出される所定の患者情報（保険証情報や電話番号など）に該当する。例えば、間接的に関連付けられた情報とは、アイコンがスプレッドシートのセルに表示されている場合に、アイコンが存在するスプレッドシートの列または行情報に基づいて関連付けられた情報に該当する。また、直接的に関連付けられた情報とは、アイコン自体がもつ情報に該当する。
【００２０】
「アイコンの表示を他の表示情報に変更」することには、アイコンの形状を変更する場合に限らず、アイコンの色や大きさ等を変更する場合や、アイコンを消去する場合、アイコンを各種処理の起動キーでない文字や図柄等に変更する場合、点滅・点灯処理されたアイコンを点滅・点灯処理されていないアイコンに変更する場合も含む概念である。
【００２１】
「アイコンの選択」とは、アイコン関連情報の取得処理が実行する契機となる入力などのことであり、例えば、シングルクリックやダブルクリックなどのことである。
【００２２】
「判断手段」とは、画面上に表示したアイコンが選択されたか否かを判断する手段であり、下記の実施形態では、ＣＰＵ１２０による図６ステップＳ４２の処理に該当する。「アイコン関連情報取得手段」とは、選択されたアイコンに関連付けられたアイコン関連情報を取得する手段であり、下記の実施形態では、ＣＰＵ１２０による図６ステップＳ４４の処理に該当する。
【００２３】
「アイコン関連処理実行手段」とは、取得されたアイコン関連情報を用いて、選択されたアイコンに関連するアイコン関連処理を実行する手段であり、下記の実施形態では、ＣＰＵ１２０による図６ステップＳ４６、Ｓ４８の処理に該当する。「アイコン変更手段」とは、アイコン関連処理が終了すると、選択されたアイコンの表示形態を変更する手段であり、下記の実施形態では、ＣＰＵ１２０による図７ステップＳ５６の処理に該当する。
【００２４】
アイコンの「第１の表示形態」とは、アイコン関連処理実行前のアイコンの表示形態であり、下記の実施形態では、図４の来院情報画面におけるアイコン４００、４２０、４４０に該当する。アイコンの「第２の表示形態」とは、アイコン関連処理終了後のアイコンの表示形態であり、下記の実施形態では、図９の来院情報画面におけるアイコン５００に該当する。
【００２５】
「プログラムを記録したコンピュータ読み取り可能な記録媒体」とは、フレキシブルディスク、ＣＤ−ＲＯＭ、ハードディスク、メモリカード、ＲＯＭ、パンチカード、テープ等を含む概念である。また、コンピュータによって直接実行可能なプログラムを記録した記録媒体だけでなく、一旦他の記録媒体（ハードディスク等）にインストールすることによって実行可能となるようなプログラムを記録した記録媒体や、暗号化されたり、圧縮されたりしたプログラムを記録した記録媒体を含む概念である。「プログラム」とは、ＣＰＵにより直接実行可能なプログラムだけでなく、ソース形式のプログラム、圧縮処理がされたプログラム、暗号化されたプログラム等を含む概念である。
【００２６】
【発明の実施の形態】
１．　管理コンピュータのハードウエア構成
この発明の一実施形態であるアイコン処理装置について、歯科医院における患者情報および来院情報を管理する管理コンピュータ１００を一例として説明する。図１に、管理コンピュータ１００のハードウエア構成例を示す。ＣＰＵ１２０は、バスラインを介して外部記憶装置１２２、マウス・キーボード１２４、ディスプレイ１２６、メモリ１２８、フレキシブルディスク・ドライブ１３０、ＣＤ−ＲＯＭドライブ１３２などに接続されている。外部記憶装置１２２には、予約日時等を記憶する来院情報データベース２００、患者情報を記憶する患者情報データベース３００、来院情報管理プログラム、患者情報管理プログラム、オペレーティングシステム（ＯＳ）などが記憶されている。
【００２７】
図２に示す来院情報データベース２００には、予約日時に対応付けて患者の氏名、患者への対応事項（例えば、保険証の確認の要否、事前連絡の要否など）が記録される。なお、以前の最終診療日から１月以上経過した場合に、診療前に保険証の記載情報の確認が必要と判断され、保険証の確認フラグがセットされる。また、事前に電話連絡するよう患者から依頼された場合に、事前連絡フラグがセットされる。また、来院情報管理プログラムにより、来院時刻、院内状況、患者の居場所などが記録される。
【００２８】
図３に示す患者情報データベース３００には、患者ＮＯ、患者氏名に対応付けて、保険証情報（保険者番号、職業、有効期限など）や、当該患者の以前の診療日（最終診療日を含む）、個人情報（住所、電話番号、メールアドレスなど）などが記録される。
【００２９】
来院情報管理プログラムは、来院情報データベース２００に予約日時等や来院時刻などを記録するためのものである。また、来院情報データベース２００に基づいて、図４に示す来院情報画面を表示するためのものである。患者情報管理プログラムは、患者情報データベース３００に保険証情報等を記録するためのものである。また、患者情報データベース３００から保険証情報や患者の個人情報などを抽出するためのものである。
【００３０】
外部記憶装置１２２に記憶されている来院情報管理プログラム等は、ＣＤ−ＲＯＭドライブ１３２を介してＣＤ−ＲＯＭ１３４等からインストールされたもの、または通信回線を介してダウンロードされたものである。なお、来院情報管理プログラム等は、それぞれオペレーティングシステムと共同して、上記処理を実行する。
【００３１】
２．　処理の内容
以下に、管理コンピュータ１００のＣＰＵ１２０が、来院情報管理プログラム、患者情報管理プログラムにしたがって、来院情報データベース２００を作成するときの処理（２．１）と、来院患者の情報を管理するときの処理（２．２）について説明する。
【００３２】
２．１　来院情報データベース２００の作成処理
図５に、来院情報データベース２００を作成するときのフローチャートを示す。ＣＰＵ１２０は、予約登録画面（図示せず）を表示し（図５ステップＳ２０）、患者の予約依頼にしたがって操作者により入力された予約情報（予約日、予約時刻、患者ＮＯ、患者氏名、事前連絡の要否など）を取得する（図５ステップＳ２２）。ＣＰＵ１２０は、この予約情報を図２に示す来院情報データベース２００に登録すると（図５ステップＳ２４）、当該患者ＮＯを検索キーとして、図３に示す患者情報データベース３００に登録されている当該患者の最終診療日を検索し、予約日において当該患者の保険証の確認が必要か否かを判断する（図５ステップＳ２６）。つまり、予約日が最終診療日から１月以上経過しているときには、来院時に保険証の確認が必要であると判断し、図２に示す来院情報データベース２００における保険証の確認フラグをセットする（図５ステップＳ２８）。
【００３３】
次に、ＣＰＵ１２０は、患者情報データベース３００に登録されている保険証の有効期限に基づいて、予約日においてその有効期限が切れるか否かを判断する（図５ステップＳ３０）。有効期限が切れると判断すると、図２に示す来院情報データベース２００における期限切れフラグをセットする（図５ステップＳ３２）。この実施形態では、平成１４年１０月１０日の来院情報を記憶管理する図２に示す来院情報データベース２００が作成される。
【００３４】
２．２　来院患者の情報管理処理
図６、図７に、来院患者の情報を管理するときのフローチャートを示す。ＣＰＵ１２０は、図２に示す来院情報データベース２００に基づき、図４に示す来院情報画面を表示して、「予約日時、患者氏名、保険証の確認の要否、事前連絡の要否」を操作者に示す（図６ステップＳ４０）。この来院情報画面において、患者氏名「吉田○○、宮崎××」に対応する保険証の確認欄に、保険証を開いた絵のアイコン４００を表示することにより、当該患者の来院時に保険証の確認が必要であることを示す。また、患者氏名「高橋××」に対応する保険証の確認欄に、塗りつぶした保険証のアイコン４２０を表示することにより、保険証の有効期限が切れていることを示す。また、患者氏名「田中××」に対応する事前連絡欄に、電話機のアイコン４４０を表示することにより、事前に電話連絡が必要であることを示す。
【００３５】
ここで、患者「吉田○○」が来院すると、操作者は図４に示す来院情報画面を閲覧して、保険証の確認が必要であると判断し、患者「吉田○○」に対し保険証の提示を求める。操作者は、保険証を受け取ると、患者氏名「吉田○○」に対応するセルに表示されたアイコン４００をクリックする（図６ステップＳ４２）。これを受けて、ＣＰＵ１２０は、患者ＮＯ「３０００」を検索キーとして、図３に示す患者情報データベース３００において患者氏名「吉田○○」の保険証情報を抽出し（図６ステップＳ４４）、アイコン４００にリンクした画面（保険証確認画面）を起動させる（図６ステップＳ４６）。そして、患者氏名「吉田○○」の保険証情報が記入された図８に示す保険証確認画面を表示する（図６ステップＳ４８）。
【００３６】
操作者は、患者「吉田○○」から受け取った保険証の記載情報と、図８に示す保険証確認画面の表示内容を照合して、保険証に変更がないと判断すると、確認ボタンをクリックする（図７ステップＳ５０）。これを受けて、ＣＰＵ１２０は、来院情報データベース２００の保険証の確認フラグをリセットし、保険証確認画面を閉じる（図７ステップＳ５２、Ｓ５４）。そして、図４に示す来院情報画面におけるアイコン４００に代えて、チェック印のアイコン５００を表示する（図９参照、図７ステップＳ５６）。このアイコン４２０は、患者氏名「吉田○○」に対応する保険証の確認欄（アイコン４００が表示されていたセル）に表示され、患者「吉田○○」の保険証の確認が終了したことを示すものである。なお、チェック印のアイコン５００がクリックされると、上記の保険証確認画面を表示する。
【００３７】
また、患者から受け取った保険証の記載情報と保険証確認画面の表示内容が合致しない場合、つまり、保険証が変更された場合には、変更ボタンをクリックすることにより、保険証情報変更画面が表示される（図示せず）。これに、保険証の記載情報を入力することにより、患者情報データベース３００における保険証情報は更新され、来院情報データベース２００における保険証の確認フラグはリセットされる。また、来院情報画面では、当該患者氏名に対応する保険証の確認欄にチェック印のアイコンが表示される。
【００３８】
また、図４に示す来院情報画面において、患者氏名「田中××」に対応する事前連絡欄に表示されたアイコン４４０をクリックすると、患者データベース３００において当該患者の電話番号が抽出され、図１０Ａに示す事前連絡確認画面が表示される。操作者はこの画面を閲覧して、事前に患者「田中××」に電話連絡を行う。電話連絡等を終えて確認ボタンをクリックすると、アイコン４４０はチェック印のアイコンに変更される。このチェック印のアイコンは、患者「田中××」への事前連絡が終了したことを示すものである。
【００３９】
また、図２に示す来院情報データベース２００における「来院時刻、院内状況、場所」は、来院後の患者の状況把握のために、操作者の入力操作および上述の来院情報管理プログラムなどによって、記録、更新される。また、図４に示す来院情報画面には、来院情報管理プログラムにより来院情報データベース２００が読み込まれて、「来院時刻、院内状況、場所」が表示される。
【００４０】
以上のように、患者氏名に対応するセルに所定の形態のアイコンを表示することにより、当該患者に対してすべき措置内容（保険証の確認、事前連絡）を、操作者に簡易に認識させることができる。また、患者氏名に対応するセルに形態変更後のアイコン（チェック印のアイコン）を表示することにより、当該患者に対してすべき措置が終了したことを、操作者に簡易に認識させることができる。
【００４１】
２．３　他のアイコン表示例
上述の実施形態では、図４に示す来院情報画面におけるアイコン４００、４２０、４４０表示により、来院患者に対してすべき措置（保険証の確認、事前連絡）を操作者に認識させる場合を一例として説明している。しかしながら、これらのアイコンに限られるものではなく、他のアイコン表示例を以下に述べる。
【００４２】
（１）　事前連絡
電子メールを表すアイコンにより、事前に患者に電子メール連絡することが必要であることを示す。当該アイコンがクリックされると、当該患者のメールアドレスが表示される。この場合、アイコン関連情報は当該患者のメールアドレスに該当し、アイコン関連処理はそのメールアドレスの表示処理に該当する。
【００４３】
（２）　メモ
メモ用紙を表すアイコンにより、患者に院内連絡メモ情報を伝えることが必要であることを示す。当該アイコンがクリックされると、当該患者のメモ用紙ＮＯ等が表示される。この場合、アイコン関連情報は当該患者のメモ用紙ＮＯに該当し、アイコン関連処理はそのメモ用紙ＮＯの表示処理に該当する。
【００４４】
（３）　処方箋、薬剤情報提供書等の各種書類
プリンタを表すアイコンにより、処方箋等の印刷が必要であることを示す。当該アイコンがクリックされると、当該患者用の処方箋等が発行される。この場合、アイコン関連情報は処方箋等の情報に該当し、アイコン関連処理はその処方箋等の出力処理に該当する。
【００４５】
（４）　要注意
エクスクラメーション等のアイコンにより、要注意患者である旨を示す。当該アイコンがクリックされると、当該患者の遅刻回数、無断キャンセル回数等が表示される（図１０Ｂの要注意患者確認画面参照）。この場合、アイコン関連情報は当該患者の遅刻回数等に該当し、アイコン関連処理は要注意患者確認画面の表示処理に該当する。
【００４６】
３．　他の実施例
上述の実施形態では、図７ステップＳ５６において、チェック印のアイコンに変更される場合を一例として説明している。しかしながら、アイコンの形状を変更する場合に限らず、アイコンの色や大きさ等を変更してもよい。また、アイコン処理が終了した後に、アイコンを消去してもよい。また、アイコン処理前はアイコンをフラッシュし、アイコン処理終了後はそのフラッシュ処理を行わないようにしてもよい。また、アイコンに変更する場合に限らず、選択されてもプログラムを実行しない単なる文字や図柄等（各種処理の起動キーでない文字や図柄等）に変更してもよい。
【００４７】
上述の実施形態では、管理コンピュータ１００の外部記憶装置１２２に格納したプログラム、データにしたがい、ディスプレイ１２６に表示されたアイコンの形態を制御する場合を一例としている。しかしながら、管理コンピュータ１００が、通信回線を介して接続された別個のコンピュータのディスプレイに表示されたアイコンの形態を制御してもよい。この場合、アイコン処理制御装置は、管理コンピュータ１００に該当する。
【００４８】
上述の実施形態では、アイコンが選択されると、操作者からの入力情報を取得しないで、アイコン関連処理（保険証確認画面の表示処理）を実行している。しかしながら、操作者からの入力情報を取得し、その入力情報に基づいてアイコン関連処理を実行してもよい。例えば、上述２．３の（３）において、プリンタを表すアイコンがクリックされると、発行部数を設定するための画面を表示し、操作者から発行部数が入力されると、その発行部数分の書類の出力処理を行う。
【００４９】
上述の実施形態では、最終診療日から１月以上経過した場合に、保険証の確認が必要と判断される（図５ステップＳ２６）。しかしながら、これに限られるものではなく、例えば、月初めに、保険証の確認要と判断してもよい。
【００５０】
上述の実施形態では、この発明のアイコン処理装置について、歯科医院における患者情報および来院情報を管理する管理コンピュータ１００を一例として説明している。しかしながら、これに限られるものではなく、アイコンを利用して情報処理を行う装置一般にこの発明を適用することができる。
【００５１】
上述の実施形態では、図４、図９に示す来院情報画面における一覧表（スプレッドシート）を構成するセルに、アイコンを表示する場合を一例として説明している。しかしながら、セルに表示する場合に限られない。以下に他の実施例を示す。
【００５２】
（１）　ユーザを識別するための情報（ユーザ名など）に対応付けてアイコンを表示する場合（図１１参照）、選択されたアイコンに対応付けられた識別情報により、アイコン関連情報を取得して、アイコン処理を実行し、他の表示情報を表示する。例えば、図１１において、ユーザ名「山口○○」のプリンタを表すアイコンがクリックされると、ユーザ情報データベースからユーザ名「山口○○」のＩＤを抽出して領収証出力画面を表示する。金額が入力され、出力ボタンがクリックされると、領収証の出力処理を実行し、ユーザ名「山口○○」に対応付けてチェック印を表示する。
【００５３】
（２）　ＸＹ座標面上にてアイコンを表示する場合（図１２参照）、選択されたアイコンの表示位置に基づき、アイコン関連情報を取得して、アイコン処理を実行し、他の表示情報を表示する。例えば、図１２において、所定のアイコンがクリックされると、理想体重データベースからＸＹ座標値に基づく理想体重値を抽出して理想体重情報画面を表示する。確認ボタンがクリックされると、クリックされたアイコンの表示位置に×印を表示する。
【００５４】
（３）　複数のウインドウにてアイコンを表示する場合（図１３参照）、選択されたアイコンを表示するウインドウに関する情報により、アイコン関連情報を取得して、アイコン処理を実行し、他の表示情報を表示する。例えば、図１３において、ウインドウＡのアイコンがクリックされると、会社情報データベースからウインドウＡに対応する会社名「○○製鉄」の会社情報を抽出して会社情報画面を表示する。確認ボタンがクリックされると、ウインドウＡに×印を表示する。
【図面の簡単な説明】
【図１】管理コンピュータ１００のハードウエア構成を示す図である。
【図２】来院情報データベース２００を示す図である。
【図３】患者情報データベース３００を示す図である。
【図４】来院情報画面を示す図である。
【図５】来院情報データベース２００の作成処理を示すフローチャートである。
【図６】来院患者の情報管理処理を示すフローチャートである。
【図７】来院患者の情報管理処理を示すフローチャートである。
【図８】保険証確認画面を示す図である。
【図９】形態変更後のアイコンが表示された来院情報画面を示す図である。
【図１０】事前連絡確認画面、要注意患者確認画面を示す図である。
【図１１】他の実施形態におけるアイコン処理例である。
【図１２】他の実施形態におけるアイコン処理例である。
【図１３】他の実施形態におけるアイコン処理例である。
【図１４】従来の技術の一例である管理コンピュータ６００のハードウエア構成、スプレッドシート画面を示す図である。
【符号の説明】
１００・・・・管理コンピュータ
１２０・・・・ＣＰＵ
２００・・・・来院情報データベース
３００・・・・患者情報データベース
【図１】
2004094315.tif 000003
【図２】
2004094315.tif 000004
【図３】
2004094315.tif 000005
【図４】
2004094315.tif 000006
【図５】
2004094315.tif 000007
【図６】
2004094315.tif 000008
【図７】
2004094315.tif 000009
【図８】
2004094315.tif 000010
【図９】
2004094315.tif 000011
【図１０】
2004094315.tif 000012
【図１１】
2004094315.tif 000013
【図１２】
2004094315.tif 000014
【図１３】
2004094315.tif 000015
【図１４】
2004094315.tif 000016